(57)【特許請求の範囲】
【請求項１】
奇数フィールドと偶数フィールドの２フィールドで１フレームを構成するインターレース走査方式画像データの任意の１フィールド分のデータをフィールドメモリに書き換え可能に記憶し、この記憶された画像データを奇数フィールドの表示タイミングおよび偶数フィールドの表示タイミングで繰り返し読み出して表示装置に送出するようにしたインターレース画像の静止画処理装置において、
前記フィールドメモリに奇数フィールドの画像データが記憶されているときは、奇数フィールドの表示タイミングで各走査ラインの画像データを該当する走査ラインの表示タイミングで表示するように前記表示装置に送出し、偶数フィールドの表示タイミングで各走査ラインの画像データを該当する走査ラインの表示タイミングで表示するように前記表示装置に送出し、
前記フィールドメモリに偶数フィールドの画像データが記憶されているときは、偶数フィールドの表示タイミングで各走査ラインの画像データを該当する走査ラインの表示タイミングで表示するように前記表示装置に送出し、奇数フィールドの表示タイミングで各走査ラインの画像データを該当する走査ラインの１ライン下の表示タイミングで表示するように前記表示装置に送出してなるインターレース画像の静止画処理装置。
【請求項２】
前記フィールドメモリに偶数フィールドの画像データが記憶されているときに、奇数フィールドの１ライン目の表示タイミングで偶数フィールドの１ライン目の画像データを表示するように前記表示装置に送出してなる請求項１記載のインターレース画像の静止画処理装置。
【請求項３】
奇数フィールドと偶数フィールドの２フィールドで１フレームを構成するインターレース走査方式画像データの任意の１フィールド分のデータをフィールドメモリに書き換え可能に記憶し、この記憶された画像データを奇数フィールドの表示タイミングおよび偶数フィールドの表示タイミングで繰り返し読み出して表示装置に送出するようにしたインターレース画像の静止画処理装置において、
前記フィールドメモリに奇数フィールドの画像データが記憶されているときは、この画像データを奇数フィールドの表示タイミングと偶数フィールドの表示タイミングでそのまま読み出して前記表示装置に送出し、
前記フィールドメモリに偶数フィールドの画像データが記憶されているときは、偶数フィールドの表示タイミングでこの画像データをそのまま読み出して前記表示装置に送出し、奇数フィールドの表示タイミングでこの画像データを１水平走査期間分遅らせて読み出して前記表示装置に送出するようにしてなるインターレース画像の静止画処理装置。
【請求項４】
奇数フィールドと偶数フィールドの２フィールドで１フレームを構成するインターレース走査方式画像データの任意の１フィールド分のデータを書き換え可能に記憶するフィールドメモリと、
このフィールドメモリに任意の１フィールド分の画像データを書き込み、該書き込まれた画像データを奇数フィールドの表示タイミングおよび偶数フィールドの表示タイミングで繰り返し読み出す書き込み／読み出し制御手段と、
前記フィールドメモリから読み出された画像データを１水平走査期間分遅延するラインバッファと、
前記フィールドメモリから読み出された画像データと前記ラインバッファから出力された画像データを入力し、適宜に選択された一方の画像データを出力して表示装置に送出するマルチプレクサと、
前記フィールドメモリに記憶された画像データの奇数フィールド／偶数フィールドの識別情報を出力する画像データフィールド識別情報出力手段と、
表示タイミングの奇数フィールド／偶数フィールドの識別情報を出力する表示フィールド識別情報出力手段と、
前記画像データフィールド識別情報出力手段および前記表示フィールド識別情報出力手段から出力される各識別情報に基づき、前記フィールドメモリに奇数フィールドの画像データが記憶されているときは、前記フィールドメモリから読み出される画像データをそのまま前記マルチプレクサから選択出力し、前記フィールドメモリに偶数フィールドの画像データが記憶されているときは、偶数フィールドの表示タイミングで前記フィールドメモリから読み出される画像データをそのまま前記マルチプレクサから選択出力し、奇数フィールドの表示タイミングで前記フィールドメモリから読み出されて前記ラインバッファで１水平走査期間遅延された画像データを前記マルチプレクサから選択出力するように前記マルチプレクサを制御する信号選択制御手段と
を具備してなるインターレース画像の静止画処理装置。
【請求項５】
奇数フィールドと偶数フィールドの２フィールドで１フレームを構成するインターレース走査方式画像データの任意の１フィールド分のデータをフィールドメモリに書き換え可能に記憶し、この記憶された画像データを奇数フィールドの表示タイミングおよび偶数フィールドの表示タイミングで繰り返し読み出して表示装置に送出するようにしたインターレース画像の静止画処理装置において、
前記フィールドメモリに奇数フィールドの画像データが記憶されているときは、奇数フィールドの表示タイミングで各走査ラインの画像データを該当する走査ラインの表示タイミングで表示するように前記表示装置に送出し、偶数フィールドの表示タイミングで各走査ラインの画像データを該当する走査ラインの１ライン上の表示タイミングで表示するように前記表示装置に送出し、
前記フィールドメモリに偶数フィールドの画像データが記憶されているときは、偶数フィールドの表示タイミングで各走査ラインの画像データを該当する走査ラインの表示タイミングで表示するように前記表示装置に送出し、奇数フィールドの表示タイミングで各走査ラインの画像データを該当する走査ラインの表示タイミングで表示するように前記表示装置に送出してなるインターレース画像の静止画処理装置。
【請求項６】
奇数フィールドと偶数フィールドの２フィールドで１フレームを構成するインターレース走査方式画像データの任意の１フィールド分のデータをフィールドメモリに書き換え可能に記憶し、この記憶された画像データを奇数フィールドの表示タイミングおよび偶数フィールドの表示タイミングで繰り返し読み出して表示装置に送出するようにしたインターレース画像の静止画処理装置において、
前記フィールドメモリに偶数フィールドの画像データが記憶されているときは、この画像データを奇数フィールドの表示タイミングと偶数フィールドの表示タイミングでそのまま読み出して前記表示装置に送出し、
前記フィールドメモリに奇数フィールドの画像データが記憶されているときは、奇数フィールドの表示タイミングでこの画像データをそのまま読み出して前記表示装置に送出し、偶数フィールドの表示タイミングでこの画像データを１水平走査期間分早めて読み出して前記表示装置に送出するようにしてなるインターレース画像の静止画処理装置。
【発明の詳細な説明】
【０００１】
【発明の属する技術分野】
この発明は、インターレース走査方式の画像データの任意の１フィールド分のデータをフィールドメモリに保持して静止画像として再生する静止画処理装置に関し、コマ送り再生する場合に画像が上下動する問題を簡易な構成で解決したものである。
【０００２】
【従来の技術】
ＮＴＳＣ方式等のインターレース走査方式のビデオ動画像を静止画再生（例えばビデオテープレコーダのスチル機能等）する方法として、従来は次の２つの方法があった。
【０００３】
（ａ）  奇数フィールドの画像と偶数フィールドの画像を交互に表示する方法。すなわち、奇数フィールドの表示タイミングでは奇数フィールドの画像を表示し、偶数フィールドの表示タイミングでは偶数フィールドの画像を表示し、これを繰り返す。
【０００４】
（ｂ）  奇数フィールドの画像と偶数フィールドの画像のいずれか一方の画像データをフィールドメモリに記憶し、奇数フィールドの表示タイミングと偶数フィールドの表示タイミングで共通にかつ繰り返し読み出して表示する方法。
【０００５】
なお、ＮＴＳＣ方式では奇数フィールドと偶数フィールドを合わせて５２５本の走査線があるが、この明細書で、「奇数フィールド」とは、一番上の走査線および以後１つ置きの走査線が有効な（つまり表示される）フィールドを言い、「偶数フィールド」とは、一番上の走査線が無効（つまり表示されない）で、次の走査線および以後１つ置きの走査線が有効なフィールドを言う。
【０００６】
【発明が解決しようとする課題】
前記（ａ）の方法によれば、奇数フィールドの画像と偶数フィールドの画像には時間差（ＮＴＳＣ方式の場合１／６０秒）があるため、高速運動している物体の画像を静止画再生すると、奇数フィールドの表示と偶数フィールドの表示とで物体の位置が移動し、この移動が繰り返されるため、表示画像にちらつきが生じ、また物体がぼやけて見える問題があった。
【０００７】
また、前記（ｂ）の方法によれば、片方のフィールドの画像のみを表示するので、奇数フィールドの画像と偶数フィールドの画像の時間差による問題は生じないが、奇数フィールドの画像と偶数フィールドの画像では１ライン（走査線）分画像が上下に移動する問題があった。この現象について説明する。
【０００８】
いま、１フレーム（奇数フィールドと偶数フィールドの２フィールドで構成）分の画像が表示画面上で図２（ａ）のように表示されるものとする。ライン１，２，……は走査線の番号を表わす。この画像の奇数フィールドの画像は図２（ｂ）であり、偶数フィールドの画像は図２（ｃ）である。奇数フィールドの画像データをフィールドメモリに記憶して静止画再生する場合の、フィールドメモリの各アドレスに記憶される画像データの走査線番号とこの画像データをフィールドメモリから読み出して表示装置に表示するタイミングと位置の関係を表１の（Ａ），（Ｂ）欄に示す。
【０００９】
【表１】
0003944954.tif 000002
表１によれば、例えばライン１の画像データは、奇数フィールドの表示ではライン１の位置に表示され、偶数フィールドの表示ではライン２の位置に表示される。その結果、ライン１の画像データは見かけ上両フィールドでの表示位置の中央位置（すなわちライン１．５の位置）に位置するように見えるため（表１（Ｃ）欄参照）、本来の表示位置（すなわちライン１）から０．５ライン分下がって表示されるように見える（表１（Ｄ）欄参照）。
【００１０】
一方、偶数フィールドの画像データをフィールドメモリに記憶した場合の、フィールドメモリの各アドレスに記憶される画像データの走査線番号とこの画像データをフィールドメモリから読み出して表示装置に表示するタイミングと位置の関係を表２の（Ａ），（Ｂ）欄に示す。
【００１１】
【表２】
0003944954.tif 000003
表２によれば、例えばライン２の画像データは、奇数フィールドの表示ではライン１の位置に表示され、偶数フィールドの表示ではライン２の位置に表示される。その結果、ライン２の画像データは見かけ上両フィールドでの表示位置の中央位置（すなわちライン１．５の位置）に位置するように見えるため（表２（Ｃ）欄参照）、本来の表示位置（すなわちライン２）から０．５ライン分上がって表示されるように見える（表２（Ｄ）欄参照）。
【００１２】
図３は、以上の関係を表示画面上の表示画像で示したものである。このように、前記従来の（ｂ）の方法によれば、奇数フィールドの画像は本来の表示位置より０．５ライン分下がって見え、偶数フィールドの画像は本来の表示位置より０．５ライン分上がって見えるため、１フィールド単位でコマ送りをすると、画像が１ライン分の幅で上下動していた。このため、画像中の特定の部分に注目してコマ送り再生する場合などに違和感を生じていた。
【００１３】
このようなコマ送りの際の画像の上下動の問題を解決する方法として、奇数フィールドの画像データを保持して表示する場合には、奇数フィールドの表示タイミングでは保持した画像データをそのまま表示し、偶数フィールドの表示タイミングでは奇数フィールドの画像データを補間した画像データを生成して表示し（ライン１，３の画像データからライン２の画像データを生成する等）、偶数フィールドの画像データを保持して表示する場合には、偶数フィールドの表示タイミングでは保持した画像データをそのまま表示し、奇数フィールドの表示タイミングでは偶数フィールドの画像データを補間した画像データを生成して表示する（ライン２，４の画像データからライン３の画像データを生成する等）方法があった。しかし、この方法によれば、補間のための演算装置が必要となるため、装置が複数になり、コストが高くなる欠点があった。
【００１４】
この発明は、前記従来の技術における問題点を解決して、補間を用いることなく、コマ送り再生時の画像の上下動の問題を解決したインターレース画像の静止画処理装置を提供しようとするものである。
【００１５】
【課題を解決するための手段】
この発明は、奇数フィールドと偶数フィールドの２フィールドで１フレームを構成するインターレース走査方式画像データの任意の１フィールド分のデータをフィールドメモリに書き換え可能に記憶し、この記憶された画像データを奇数フィールドの表示タイミングおよび偶数フィールドの表示タイミングで繰り返し読み出して表示装置に送出するようにしたインターレース画像の静止画処理装置において、フィールドメモリに奇数フィールドの画像データが記憶されているときは、奇数フィールドの表示タイミングで各走査ラインの画像データを該当する走査ラインの表示タイミングで表示するように表示装置に送出し、偶数フィールドの表示タイミングで各走査ラインの画像データを該当する走査ラインの表示タイミングで表示するように表示装置に送出し、フィールドメモリに偶数フィールドの画像データが記憶されているときは、偶数フィールドの表示タイミングで各走査ラインの画像データを該当する走査ラインの表示タイミングで表示するように表示装置に送出し、奇数フィールドの表示タイミングで各走査ラインの画像データを該当する走査ラインの１ライン下の表示タイミングで表示するように表示装置に送出してなるものである。
【００１６】
これによれば、奇数フィールドの画像データおよび偶数フィールドの画像データが、ともに見かけ上本来の表示位置より０．５ライン分下がって表示されるように見えるので、コマ送り再生したときの画像の上下動を防止することができる。
【００１７】
この発明は、具体的には、フィールドメモリに奇数フィールドの画像データが記憶されているときは、この画像データを奇数フィールドの表示タイミングと偶数フィールドの表示タイミングでそのまま読み出して表示装置に送出し、フィールドメモリに偶数フィールドの画像データが記憶されているときは、偶数フィールドの表示タイミングでこの画像データをそのまま読み出して表示装置に送出し、奇数フィールドの表示タイミングでこの画像データを１水平走査期間分（１ライン分）遅らせて読み出して表示装置に送出するように構成することができる。
【００１８】
これによれば、フィールドメモリに奇数フィールドの画像データが記憶されているときは、この画像データを奇数フィールドの表示タイミングと偶数フィールドの表示タイミングでそのまま読み出すことにより、見かけ上本来の表示位置より０．５ライン分下がって表示されるように見える。また、フィールドメモリに偶数フィールドの画像データが記憶されているときは、偶数フィールドの表示タイミングでこの画像データをそのまま読み出し、奇数フィールドの表示タイミングでこの画像データを１水平走査期間分遅らせて読み出して（すなわちライン２本分下にずらして）送出することにより、見かけ上本来の表示位置より０．５ライン分下がって表示されるように見える。したがって、奇数フィールドの画像データを表示する時と、偶数フィールドの画像データを表示する時とでは、ともに見かけ上本来の表示位置より０．５ライン分下がって表示されるように見えるため、コマ送り再生した時の画像の上下動を防止することができる。
【００１９】
また、この発明は、より具体的には、奇数フィールドと偶数フィールドの２フィールドで１フレームを構成するインターレース走査方式画像データの任意の１フィールド分のデータを書き換え可能に記憶するフィールドメモリと、このフィールドメモリに任意の１フィールド分の画像データを書き込み、該書き込まれた画像データを奇数フィールドの表示タイミングおよび偶数フィールドの表示タイミングで繰り返し読み出す書き込み／読み出し制御手段と、前記フィールドメモリから読み出された画像データを１水平走査期間分遅延するラインバッファと、前記フィールドメモリから読み出された画像データと前記ラインバッファから出力された画像データを入力し、適宜に選択された一方の画像データを出力して表示装置に送出するマルチプレクサと、前記フィールドメモリに記憶された画像データの奇数フィールド／偶数フィールドの識別情報を出力する画像データフィールド識別情報出力手段と、表示タイミングの奇数フィールド／偶数フィールドの識別情報を出力する表示フィールド識別情報出力手段と、前記画像データフィールド識別情報出力手段および前記表示フィールド識別情報出力手段から出力される各識別情報に基づき、前記フィールドメモリに奇数フィールドの画像データが記憶されているときは、前記フィールドメモリから読み出される画像データをそのまま前記マルチプレクサから選択出力し、前記フィールドメモリに偶数フィールドの画像データが記憶されているときは、偶数フィールドの表示タイミングで前記フィールドメモリから読み出される画像データをそのまま前記マルチプレクサから選択出力し、奇数フィールドの表示タイミングで前記フィールドメモリから読み出されて前記ラインバッファで１水平走査期間遅延された画像データを前記マルチプレクサから選択出力するように前記マルチプレクサを制御する信号選択制御手段とを具備して構成することができる。
【００２０】
なお、フィールドメモリに偶数フィールドの画像データが記憶されているときに、奇数フィールドの表示タイミングでこの画像データを１水平走査期間分遅らせて表示すると、奇数フィールドの１ライン目の表示タイミングで画像データは空白になるので、場合によっては、奇数フィールドの１ライン目の表示タイミングでフィールドメモリに記憶されている１ライン目（つまりライン２）の画像データを表示する（つまり、この１ライン目の画像データはライン１，２，３に表示される）ようにして、空白が生じないようにすることができる。
【００２１】
また、この出願の別の発明は奇数フィールドと偶数フィールドの２フィールドで１フレームを構成するインターレース走査方式画像データの任意の１フィールド分のデータをフィールドメモリに書き換え可能に記憶し、この記憶された画像データを奇数フィールドの表示タイミングおよび偶数フィールドの表示タイミングで繰り返し読み出して表示装置に送出するようにしたインターレース画像の静止画処理装置において、フィールドメモリに奇数フィールドの画像データが記憶されているときは、奇数フィールドの表示タイミングで各走査ラインの画像データを該当する走査ラインの表示タイミングで表示するように表示装置に送出し、偶数フィールドの表示タイミングで各走査ラインの画像データを該当する走査ラインの１ライン上の表示タイミングで表示するように表示装置に送出し、フィールドメモリに偶数フィールドの画像データが記憶されているときは、偶数フィールドの表示タイミングで各走査ラインの画像データを該当する走査ラインの表示タイミングで表示するように表示装置に送出し、奇数フィールドの表示タイミングで各走査ラインの画像データを該当する走査ラインの表示タイミングで表示するように表示装置に送出してなるものである。
【００２２】
これによれば、奇数フィールドの画像データおよび偶数フィールドの画像データが、ともに見かけ上本来の表示位置より０．５ライン分上がって表示されるように見えるので、コマ送り再生したときの画像の上下動を防止することができる。
【００２３】
この別の発明は、具体的には、フィールドメモリに偶数フィールドの画像データが記憶されているときは、この画像データを奇数フィールドの表示タイミングと偶数フィールドの表示タイミングでそのまま読み出して表示装置に送出し、フィールドメモリに奇数フィールドの画像データが記憶されているときは、奇数フィールドの表示タイミングでこの画像データをそのまま読み出して表示装置に送出し、偶数フィールドの表示タイミングでこの画像データを１水平走査期間分（１ライン分）早めて読み出して表示装置に送出するように構成することができる。
【００２４】
これによれば、フィールドメモリに偶数フィールドの画像データが記憶されているときは、この画像データを奇数フィールドの表示タイミングと偶数フィールドの表示タイミングでそのまま読み出すことにより、見かけ上本来の表示位置より０．５ライン分上がって表示されるように見える。また、フィールドメモリに奇数フィールドの画像データが記憶されているときは、奇数フィールドの表示タイミングでこの画像データをそのまま読み出し、偶数フィールドの表示タイミングでこの画像データを１水平走査期間分早めて読み出して（すなわちライン２本分上にずらして）送出することにより、見かけ上本来の表示位置より０．５ライン分上がって表示されるように見える。したがって、奇数フィールドの画像データを表示する時と、偶数フィールドの画像データを表示する時とでは、ともに見かけ上本来の表示位置より０．５ライン分上がって表示されるように見えるため、コマ送り再生した時の画像の上下動を防止することができる。
【００２５】
【発明の実施の形態】
この発明の実施の形態を以下説明する。これは、フィールドメモリに奇数フィールドの画像データ（ライン１，３，５，……のデータ）が記憶されているときは、奇数フィールドの表示タイミングで各走査ラインの画像データを該当する走査ライン（ライン１，３，５，……）の表示タイミングで表示するように表示装置に送出し、偶数フィールドの表示タイミングで各走査ラインの画像データを該当する走査ライン（ライン２，４，６，……）の表示タイミングで表示するように表示装置に送出し、フィールドメモリに偶数フィールドの画像データ（ライン２，４，６，……のデータ）が記憶されているときは、偶数フィールドの表示タイミングで各走査ラインの画像データを該当する走査ライン（ライン２，４，６，……）の表示タイミングで表示するように表示装置に送出し、奇数フィールドの表示タイミングで各走査ラインの画像データを該当する走査ラインの１ライン下（ライン３，５，７，……）の表示タイミングで表示するように表示装置に送出して、奇数フィールドの画像データおよび偶数フィールドの画像データが、ともに見かけ上本来の表示位置より０．５ライン分下がって表示されるようにしたものである。
【００２６】
図１は、この発明による静止画処理装置１０の構成を示すブロック図である。静止画処理装置１０には、ビデオテープレコーダ、ＤＶＤプレーヤ等から再生されたＮＴＳＣ方式等のインターレース画像データ（ディジタルデータ）が供給される。フィールドメモリ１２は、１フィールド分の画像データを書き換え可能に保持する。書き込み／読み出し制御手段１４は入力される画像データをフィールドメモリ１２にフィールド単位で書き込んでかつ読み出す。通常の再生時は、フィールドメモリ１２はフィールド単位で順次更新されていき、フィールドメモリ１２から読み出された画像データはマルチプレクサ１６、Ｄ／Ａ変換器、テレビジョン信号生成回路等を経てテレビモニタ等の表示装置（図示せず）に送出される。
【００２７】
書き込み／読み出し制御手段１４は、ユーザの操作によりスチル再生が指令されると、フィールドメモリ１２の更新を停止し（ビデオテープレコーダ、ＤＶＤプレーヤ等の再生位置もその位置で一時停止状態となる。）、その時点でフィールドメモリ１２に収容されている１フィールド（奇数フィールドまたは偶数フィールド）の画像データをそのまま保持し、これを奇数フィールドの表示タイミングと偶数フィールドの表示タイミングで繰り返し読み出す。フィールドメモリ１２から出力された画像データは、そのままマルチプレクサ１６の一方入力端（１）に入力され、またラインバッファ１８で１水平走査期間分遅延されて（すなわち、１水平走査期間分遅らせて読み出すことに相当）マルチプレサク１６の他方入力端（２）に入力される。コマ送り再生が指令されると、一定時間おきに自動であるいはユーザがコマ送り操作をするごとに、ビデオテープレコーダ、ＤＶＤプレーヤ等の再生位置が次のフィールドに進められて、フィールドメモリ１２の内容がそのフィールドの画像データに更新されて、静止画像のコマ送り再生が行われる。
【００２８】
画像データフィールド識別情報出力手段２０は、入力される画像データに含まれるフィールド種類の識別情報に基づき、フィールドメモリ１２に現在記憶されている画像データが奇数フィールドの画像データであるか偶数フィールドの画像データであるかを示す情報（画像データフィールド識別情報）を出力する。書き込み／読み出し制御手段１４は、表示フィールド識別情報出力手段として、現在の表示タイミングが奇数フィールドであるか偶数フィールドであるかを識別する情報（表示フィールド識別情報）を出力する。
【００２９】
信号選択制御手段２２は、マルチプレクサ１６の２入力のうち一方を選択して出力するもので、通常の再生時は一方入力端（１）からの入力を出力し、静止画再生時（コマ送り再生時を含む）は、フィールドメモリ１２に保持されている画像データのフィールド種類と表示タイミングのフィールド種類に応じて図４のように入力選択の切換えを行う。すなわち、フィールドメモリ１２に奇数フィールドの画像データが記憶されている時は、一方入力端（１）からの入力を出力し、フィールドメモリ１２に偶数フィールドの画像データが記憶されている時は、偶数フィールドの表示タイミングでは一方入力端（１）からの入力を出力し、奇数フィールドの表示タイミングでは他方入力端（２）からの入力（すなわち１水平走査期間遅延された画像データ）を出力する。なお、偶数フィールドの画像データが記憶されている時に奇数フィールドのライン１の表示タイミングで一方入力端（１）からの入力を出力することにより、ライン１が空白状態で表示されるのを防止することができる。
【００３０】
このようなマルチプレクサ１６における入力切換動作による静止画再生時の画像表示動作について説明する。フィールドメモリ１２に奇数フィールドの画像データが記憶されている時の画像表示動作は前記表１に示したものと同じである。すなわち、このとき表示画像は見かけ上本来の表示位置から０．５ライン下がって表示されるように見える。一方、フィールドメモリ１２に偶数フィールドの画像データが記憶されている時の画像表示動作を表３に示す。
【００３１】
【表３】
0003944954.tif 000004
表３によれば、奇数フィールドの表示タイミングで１水平走査期間分遅延しているため、従来の方法（表２）に比べて２ライン分下がって表示されることになる（表２，３（Ｂ）左欄参照）。したがって、表示画像は見かけ上本来の表示位置から０．５ライン下がって表示されるように見えるようになる（表３（Ｄ）欄）。このように、フィールドメモリ１２に記憶された画像データが奇数フィールド、偶数フィールドのいずれであっても、見かけ上本来の表示位置からともに０．５ライン下がって表示されるように見えるため、コマ送りによる画像の上下動は生じない。図５は、以上の関係を表示画面上の表示画像で示したものである。
【００３２】
尚、ラインバッファ１８で遅延するのに代えて、書き込み／読み出し制御手段１４によるフィールドメモリ１２の読み出しタイミング制御で遅延する（すなわち、フィールドメモリ１２に偶数フィールドの画像データが記憶されているときは、奇数フィールドの表示タイミングで読み出しアドレスを−１ラインして読み出す。）こともできる。
【００３３】
【他の発明の実施の形態】
この発明の他の実施の形態を以下説明する。これは、フィールドメモリに奇数フィールドの画像データ（ライン１，３，５，……のデータ）が記憶されているときは、奇数フィールドの表示タイミングで各走査ラインの画像データを該当する走査ライン（ライン１，３，５，……）の表示タイミングで表示するように表示装置に送出し、偶数フィールドの表示タイミングで各走査ラインの画像データを該当する走査ラインの１ライン上（ライン０，２，４，……）の表示タイミングで表示する（ライン０は実際には無いので表示されない。）ように表示装置に送出し、フィールドメモリに偶数フィールドの画像データ（ライン２，４，６，……のデータ）が記憶されているときは、偶数フィールドの表示タイミングで各走査ラインの画像データを該当する走査ライン（ライン２，４，６，……）の表示タイミングで表示するように表示装置に送出し、奇数フィールドの表示タイミングで各走査ラインの画像データを該当する走査ライン（ライン１，３，５，……）の表示タイミングで表示するように表示装置に送出して、奇数フィールドの画像データおよび偶数フィールドの画像データが、ともに見かけ上本来の表示位置より０．５ライン分上がって表示されるようにしたものである。
【００３４】
この発明は、例えば前記図１の構成において、スチル再生時やコマ送り再生時に書き込み／読み出し制御手段１４から出力される読み出しアドレスを、常に１アドレス分（つまり１水平走査期間分）早めるようにし、そのときフィールドメモリ１２に偶数フィールドの画像データが保持されているときは、常にマルチプレクサ１６の他方入力端（２）からの入力を選択出力し、奇数フィールドの画像データが保持されているときは、奇数フィールドの表示タイミングではマルチプレクサ１６の他方入力端（２）からの入力を選択出力し、偶数フィールドの表示タイミングではマルチプレクサ１６の一方入力端（１）からの入力を選択出力（すなわち、１水平走査期間分早めて読み出すことに相当）する。
【図面の簡単な説明】
【図１】  この発明による静止画処理装置の実施の形態を示すブロック図である。
【図２】  インターレース走査による１フレーム分の画像と、奇数フィールド、偶数フィールドの画像を示す図である。
【図３】  従来装置による静止画再生時の表示装置上の表示画像を説明する図である。
【図４】  図１の信号選択制御手段２２によるマルチプレクサ１６の信号選択動作を示すフローチャートである。
【図５】  この発明による静止画再生時の表示装置上の表示画像を説明する図である。
【符号の説明】
１０  静止画処理装置
１２  フィールドメモリ
１４  書き込み／読み出し制御手段、表示フィールド識別情報出力手段
１６  マルチプレクサ
１８  ラインバッファ
２０  画像データフィールド識別情報出力手段
２２  信号選択制御手段
【図１】
0003944954.tif 000005
【図２】
0003944954.tif 000006
【図３】
0003944954.tif 000007
【図４】
0003944954.tif 000008
【図５】
0003944954.tif 000009